(57)【特許請求の範囲】
【請求項１】
端部に両端開口部を備えた直線状の矩形筒形状をなしたバイパス管本体と、該バイパス管本体の両側面に前記両端開口部と同一口径の側面開口部を備えた構成からなり、前記両端開口部には、それぞれの口縁周囲にフランジを設けて止水プラグ及びシールプラグに接続した既設バイパス管に接続できるようにし、さらにシールプラグ側の両端開口部に外側に膨出した矩形のボックスを一体形成し、該ボックスの上部面には流水を遮断する平板状の遮断板を挿入できる遮断開口を形成し、また、前記側面開口部の口縁周囲にも、フランジを設けて新設バイパス管に接続できるようにし、さらに前記側面開口部にも、外側に膨出する矩形のボックスを一体形成し、該ボックスの上部面には流水を遮断する平板状の遮断板を挿入できる遮断開口を形成することを特徴とする２方向締切機能付きバイパス管。
【請求項２】
既設管と新設管との接合個所となる周囲を機械設置可能となる広さに掘り起こして立坑を形成して既設管を露出させ、既設管と新設管との接合個所となるバイパス管設置最小範囲の管上部半分を分離除去して開口させる第１工程と、既設管の管上部半分の開口部より、立坑内の既設管の上流及び下流の両側に止水プラグ及びシールプラグを設置し、下水の流れを堰き止め、止水プラグ及びシールプラグに既設バイパス管を連結し、該既設バイパス管の中間部に前記請求項１に記載された２方向締切機能付き矩形バイパス管を接続する第２工程と、前記２方向締切機能付き矩形バイパス管を設置後、適切な吊防護を行い、既設管の残り管下部半分を分離除去して撤去する第３工程と、既設管撤去完了後、新設管の到達できる範囲まで新設人孔を築造する第４工程と、新設人孔下部の築造完了し、新設人孔に新設管の接続完了後、新設管にシールプラグを設置し、該シールプラグと前記２方向締切機能付き矩形バイパス管の側面開口部とを新設バイパス管で接続する第５工程と、前記２方向締切機能付き矩形バイパス管と新設管の接続が完了し下流側への流入水受入れ準備完了後、前記２方向締切機能付き矩形バイパス管の開口部のボックスに遮断板を挿入して既設管のシールプラグへの流下を遮断すると共に、前記２方向締切機能付き矩形バイパス管の側面開口部のボックスから遮断板を取り出して下水の流出締切部位を入れ替え、流出方向を切り替える第６工程と、流出方向の切替完了及び適切な吊防護完了後、前記２方向締切機能付き矩形バイパス管のフランジと既設バイパス管のフランジの固定連結を解除し、さらに既設管のシールプラグ及び既設バイパス管を撤去する第７工程と、設置完了確認後、新設人孔内の底面を逆アーチ状に仕上げてインバートを築造し、インバート築造完了後、適切な養生を経てから、新設管のシールプラグ、新設バイパス管及び前記２方向締切機能付き矩形バイパス管を撤去し、立坑を埋め戻して施工完了とする第８工程と、から成ることを特徴とする２方向締切機能付きバイパス工法。
【発明の詳細な説明】
【技術分野】
【０００１】
本発明は、下水道の既設管に新設管を切替え設置する際に、２方向締切機能付きバイパス管を使用する２方向締切機能付きバイパス工法に関するものである。
【背景技術】
【０００２】
下水道のマンホール内部の更正・補修工事を行う場合には、衛生面、安全性等の観点から、流下中の下水（汚水）に対する処置が必要であり、施工に際しては、対象となる下水道の規模に応じて様々な対策が講じられている。例えば、接続される下水道管の口径が大きく、比較的規模が大きい場合には、たとえ一時的であっても下水の流れを止めることは困難であるため、例えば、図１２に示すようなバイパス工法により、施工個所Ａをバイパスさせるという方法が実施されている。
具体的には、まず施工個所のマンホールＡの上流側の下水道管Ｂの入口付近に空気注入式の止水プラグＣを設置して、下水の流れを堰き止める。次に、前記止水プラグＣによって堰き止められた下水を、施工個所Ａの上流側のマンホールＤ内に挿通させたバイパス管Ｅ及び道路Ｆ上に設置したポンプＧによって吸引すると共に、施工個所Ａの下流側のマンホールＨ内に挿通させたバイパス管Ｉから、下水の逆流を防止するために入口に土嚢Ｊを積んだ下流側の下水道管Ｋへ排出する。このようにすれば、下水は、施工個所Ａを通らずに、連続的に下流側へ流下することになる。なお、Ｌ，Ｍは、下水道管である。
【０００３】
本発明者は、上記バイパス工法を改善した止水プラグ、シールプラグ及びバイパスユニットを使用したバイパス工法を開発した（特許文献１を参照）。
このバイパス工法は、本体中央部に、下水を流下させるための大孔を有し、内部に流体を封入した中空構造のＯリングが二つの挟持部材によって挟持されるように構成し、それらの挟持部材の間隔を狭めて前記Ｏリングを軸線方向へ圧縮することにより、前記Ｏリングの外周部が外側方向へ押し拡げられるような構造の止水プラグ（上流側）及びシールプラグ（下流側）と、前記止水プラグ及びシールプラグの大孔に接続可能なように構成されたバイパス管のバイパスユニットからなり、前記止水プラグ及びシールプラグを、それぞれ上流口及び下流口に設置し、それらをバイパス管のバイパスユニットによって連結することによって、上流側の下水道管及び下流側の下水道管を完全に遮断し、下水が流れる空間と作業空間とを分離することができるものである。
【０００４】
さらに、本発明者は、止水プラグ、シールプラグ及びバイパス管のバイパスユニットを使用したバイパス工法を利用した、下水道の既設管に新設管を切替え設置するバイパス工法の検討を行った。
【先行技術文献】
【特許文献】
【０００５】
【特許文献１】特願２００３−４２１７９２号公報
【発明の概要】
【発明が解決しようとする課題】
【０００６】
本発明は、下水道の既設管に新設管を切替え設置する際に、止水プラグ、シールプラグ及びバイパスユニットを使用したバイパス工法を利用することにより、２方向締切機能付きバイパス管を使用する２方向締切機能付きバイパス工法を提供することを目的とするものである。
【課題を解決するための手段】
【０００７】
本発明の２方向締切機能付きバイパス管は、端部に両端開口部を備えた直線状の矩形筒形状をなしたバイパス管本体と、該バイパス管本体の両側面に前記両端開口部と同一口径の側面開口部を備えた構成からなり、前記両端開口部には、それぞれの口縁周囲にフランジを設けて既知の止水プラグ及びシールプラグに接続した既設バイパス管に接続できるようにし、さらにシールプラグ側の両端開口部に外側に膨出した矩形のボックスを一体形成し、該ボックスの上部面には流水を遮断する平板状の遮断板を挿入できる遮断開口を形成し、また、前記側面開口部の口縁周囲にも、フランジを設けて新設バイパス管に接続できるようにし、さらに前記側面開口部にも、外側に膨出する矩形のボックスを一体形成し、該ボックスの上部面には流水を遮断する平板状の遮断板を挿入できる遮断開口を形成するものである。
【０００８】
本発明の２方向締切機能付きバイパス工法は、既設管と新設管との接合個所となる周囲を機械設置可能となる広さに掘り起こして立坑を形成して既設管を露出させ、既設管と新設管との接合個所となるバイパス管設置最小範囲の管上部半分を分離除去して開口させる第１工程と、既設管の管上部半分の開口部より、立坑内の既設管の上流及び下流の両側に止水プラグ及びシールプラグを設置し、下水の流れを堰き止め、止水プラグ及びシールプラグに既設バイパス管を連結し、該既設バイパス管の中間部に２方向締切機能付き矩形バイパス管を接続する第２工程と、２方向締切機能付き矩形バイパス管を設置後、適切な吊防護を行い、既設管の残り管下部半分を分離除去して撤去する第３工程と、既設管撤去完了後、新設管の到達できる範囲まで新設人孔を築造する第４工程と、新設人孔下部の築造完了し、新設人孔に新設管の接続完了後、新設管にシールプラグを設置し、シールプラグと２方向締切機能付き矩形バイパス管の側面開口部とを新設バイパス管で接続する第５工程と、２方向締切機能付き矩形バイパス管と新設管の接続が完了し下流側への流入水受入れ準備完了後、２方向締切機能付き矩形バイパス管の開口部のボックスに遮断板を挿入して既設管のシールプラグへの流下を遮断すると共に、２方向締切機能付き矩形バイパス管の側面開口部のボックスから遮断板を取り出して下水の流出締切部位を入れ替え、流出方向を切り替える第６工程と、流出方向の切替完了及び適切な吊防護完了後、２方向締切機能付き矩形バイパス管のフランジと既設バイパス管のフランジの固定連結を解除し、さらに既設管のシールプラグ及び既設バイパス管を撤去する第７工程と、設置完了確認後、新設人孔内の底面を逆アーチ状に仕上げてインバートを築造し、インバート築造完了後、適切な養生を経てから、新設管のシールプラグ、新設バイパス管及び２方向締切機能付き矩形バイパス管を撤去し、立坑を埋め戻して施工完了とする第８工程と、から成る。
【発明の効果】
【０００９】
本発明の２方向締切機能付きバイパス管は、下水道の既設管に新設管を切替え設置する際に、止水プラグ、シールプラグ及びバイパスユニットを使用したバイパス工法を利用することにより、両側面に開口部を備えているので、遮蔽板を取り外すことによって簡単に流出方向を切り替えることができる。
また、本発明の２方向締切機能付きバイパス工法は、下水の流れを堰き止めることなく、下水道の既設管に新設管を切替え設置することができる。
【図面の簡単な説明】
【００１０】
【図１】本発明の２方向締切機能付きバイパス管の平面図である。
【図２】本発明の２方向締切機能付きバイパス管の正面図である。
【図３】本発明の２方向締切機能付きバイパス管の右側面図である。
【図４】本発明の２方向締切機能付きバイパス工法の第１工程平面図である。
【図５】本発明の２方向締切機能付きバイパス工法の第２工程平面図である。
【図６】本発明の２方向締切機能付きバイパス工法の第３工程平面図である。
【図７】本発明の２方向締切機能付きバイパス工法の第４工程平面図である。
【図８】本発明の２方向締切機能付きバイパス工法の第５工程平面図である。
【図９】本発明の２方向締切機能付きバイパス工法の第６工程平面図である。
【図１０】本発明の２方向締切機能付きバイパス工法の第７工程平面図である。
【図１１】本発明の２方向締切機能付きバイパス工法の第８工程平面図である。
【図１２】従来のバイパス工法の説明図である。
【発明を実施するための形態】
【００１１】
本発明の２方向締切機能付きバイパス工法に使用される２方向締切機能付きバイパス管の一実施例を添付図面に基づいて、以下に説明する。
図１の平面図、図２の正面図、図３の右側面図に示すように、２方向締切機能付きバイパス管は、端部に両端開口部１，２を備えた直線状の矩形筒形状をなしたバイパス管本体３と、該バイパス管本体３の両側面に前記両端開口部１，２と同一口径の側面開口部４，５を備えている。なお、図１においては両端開口部１（右側）が止水プラグ（上流）側、両端開口部２（左側）がシールプラグ（下流）側となっている。
前記両端開口部１，２には、それぞれの口縁周囲にフランジ６，６を設けて既知の止水プラグ（図示せず）及びシールプラグ（図示せず）に接続した既設バイパス管（図示せず）に接続できるようにし、さらにシールプラグ側（下流側）の両端開口部２に外側に膨出する矩形のボックス７を一体形成し、該ボックス７の上部面には流水を遮断する平板状の遮断板（図示せず）を挿入できる遮断開口９を形成する。
なお、前記両端開口部１，２のフランジ６，６の周面には、既知の止水プラグ（図示せず）及びシールプラグ（図示せず）に接続した既設バイパス管（図示せず）に接続できるように取付用のボルト孔１０，１０を形成している。
また、前記側面開口部４，５にも、フランジ１１，１１を設けて新設バイパス管に接続できるようにし、前記側面開口部４，５にも、外側に膨出する矩形のボックス１２，１２を一体形成し、該ボックス１２，１２の上部面には流水を遮断する平板状の遮断板（図示せず）を挿入できる遮断開口１３，１３を形成する。
なお、前記遮断開口９及び遮断開口１３，１３の口縁周囲にフランジ１４，１４，１４を設けている。
【００１２】
次に、本発明の２方向締切機能付きバイパス管を使用した２方向締切機能付きバイパス工法の施工手順を添付図面に基づいて、以下に説明する。
【００１３】
第１工程：図４の平面図に示すように、既設管１５と新設管１６との接合個所となる土留め範囲１７をマシン回収範囲１８となる広さに掘り起こして立坑を形成し、既設管１５を露出させる。なお、前記立坑の大きさは、バイパス工法の施工に際して新設人孔（マンホール）２４の大きさがあれば可能であるため、推進工法に合わせて築造する。
立坑が形成されたら、既設管１５と新設管１６との接合個所となるバイパス管設置最小範囲１９の管上部半分を分離除去して開口させる。
【００１４】
第２工程：図５の平面図に示すように、既設管１５の管上部半分の開口部より、立坑内の既設管１５の上流及び下流の両側に止水プラグ２０及びシールプラグ２１を設置し、下水の流れを堰き止める。そして、止水プラグ２０及びシールプラグ２１に既設バイパス管２２を連結し、該既設バイパス管２２の中間部に２方向締切機能付き矩形バイパス管２３を接続する。
【００１５】
第３工程：図６の平面図に示すように、２方向締切機能付き矩形バイパス管２３を設置後、適切な吊防護を行う。そして、既設管１５の残り管下部半分を分離除去して撤去する。
その際、前記２方向締切機能付き矩形バイパス管２３は、両端開口部１，２を開口し、側面開口部４，５に遮断板（図示せず）を挿入して閉鎖しているので、下水は既設管１５から止水プラグ２０→既設バイパス管２２→２方向締切機能付き矩形バイパス管２３→既設バイパス管２２→シールプラグ２１を介して既設管１５の下流へ流すことが出来る。
【００１６】
第４工程：図７の平面図に示すように、既設管１５撤去完了後、新設管１６の到達できる範囲、即ち既設管１５と新設管１６の接続個所の範囲まで新設人孔（マンホール）２４を築造する。
【００１７】
第５工程：図８の平面図に示すように、新設人孔（マンホール）２４下部の築造完了し、新設人孔（マンホール）２４に新設管１６を接続完了後、新設管１６にシールプラグ２５を設置し、シールプラグ２５と２方向締切機能付き矩形バイパス管２３の側面開口部４又は側面開口部５とを新設バイパス管２６で接続する。その際、２方向締切機能付き矩形バイパス管２３は既設管１５と通水状態のまま新設バイパス管２６に接続する。
【００１８】
第６工程：図９の平面図に示すように、２方向締切機能付き矩形バイパス管２３と新設管１６の接続が完了し下流側への流入水受入れ準備完了後、２方向締切機能付き矩形バイパス管２３の開口部２のボックス７に遮断板（図示せず）を挿入して既設管１５のシールプラグ２１への流下を遮断すると共に、２方向締切機能付き矩形バイパス管２３の側面開口部４又は側面開口部５のボックス１２から遮断板（図示せず）を取り出して下水の流出締切部位を入れ替え、流出方向を切り替える。
【００１９】
第７工程：図１０の平面図に示すように、流出方向の切替完了及び適切な吊防護完了後、２方向締切機能付き矩形バイパス管２３のフランジ６と既設バイパス管２２のフランジ（図示せず）の固定連結を解除し、さらに既設管１５のシールプラグ２１及び既設バイパス管２２を撤去する。
【００２０】
第８工程：図１１の平面図に示すように、設置完了確認後、新設人孔（マンホール）２４内の底面を逆アーチ状に仕上げてインバートを築造する。
インバート築造完了後、適切な養生を経てから、新設管１６のシールプラグ２５、新設バイパス管２６及び２方向締切機能付き矩形バイパス管２３を撤去し、土留め範囲１７の立坑を埋め戻して施工完了とする。
【符号の説明】
【００２１】
１  両端開口部
２  両端開口部
３  バイパス管本体
４  側面開口部
５  側面開口部
６  フランジ
７  ボックス
８  遮断板（図示せず）
９  遮断開口
１０  ボルト孔
１１  フランジ
１２  ボックス
１３  遮断開口
１４  フランジ
１５  既設管
１６  新設管
１７  土留め範囲
１８  マシン回収範囲
１９  バイパス管設置最小範囲
２０  止水プラグ
２１  シールプラグ
２２  既設バイパス管
２３  ２方向締切機能付き矩形バイパス管
２４  新設人孔（マンホール）
２５  シールプラグ
２６  新設バイパス管
【図１】
0005898479.tif 000002
【図２】
0005898479.tif 000003
【図３】
0005898479.tif 000004
【図４】
0005898479.tif 000005
【図５】
0005898479.tif 000006
【図６】
0005898479.tif 000007
【図７】
0005898479.tif 000008
【図８】
0005898479.tif 000009
【図９】
0005898479.tif 000010
【図１０】
0005898479.tif 000011
【図１１】
0005898479.tif 000012
【図１２】
0005898479.tif 000013